(57)【特許請求の範囲】
【請求項１】
水しぶき防止カバーをブラシ側面の外周を覆うように取り付けると共に、該カバーの先端をブラシ先端より少し短くして取り付け、外周側のブラシ根元を締め付けてブラシ根元とブラシ取り付け台のブラシ植設面周縁との間の周辺スペースの下面側に上記カバーを係止させる無端状の弾性係合輪を上記カバーに設けることを特徴とする水しぶき防止カバー付きブラシ。
【請求項２】
ブラシ取り付け台に長い柄と短い柄を着脱できる柄取付穴を形成した請求項１記載の水しぶき防止カバー付きブラシ。
【発明の詳細な説明】
【技術分野】
【０００１】
本発明は、清掃作業の中でブラッシングする道具に関するものである。
【背景技術】
【０００２】
特開２００３−１３５３５０には、容易に着脱できる柄により、底の深いコップなどの食器等が、簡単にきれいに洗浄でき、また、柄を取り外すことにより、他の食器等や、細かい箇所が隅々まできれいに洗浄することができる、柄が着脱できる穴あきスポンジたわしが提案されている。
【０００３】
また、特開１１−１０５４７５には、使い易い便利なトイレ用洗浄具が提供されている。柄本体１の先端に、丸棒材の芯材２であって、該芯材の他端は、カッ
ト面２aの末端より少し残して丸切りに切断し、該芯材のカット面を水平にし、該カット面と柄本体の軸線とが直交、あるいは、やや鋭角状に交叉するように、固定あるいは着脱自在に取付け、前記芯材には、適宣な厚みを有するナイロンたわし３a、３bで被覆した洗浄部５を設けたことを特徴とするトイレ用洗浄具が提案されている。
【特許文献１】特開２００３−１３５３５０
【特許文献２】特開１１−１０５４７５
【発明の開示】
【発明が解決しようとする課題】
【０００４】
しかしながら、上記特開２００３−１３５３５０および、上記特開１１−１０５４７５にあっては、ブラシの使用中に水しぶきが生じる事があるが、これに対しては何ら対応がなされていない為、水しぶきによって手や足、衣服などが汚れるという問題があった。
【０００５】
また、長い柄が固定されたデッキブラシでは、使用方法が限定され、ブラシ本体を手に持って細部をこすることができないという不便さがあった。
【課題を解決するための手段】
【０００６】
請求項１の発明は、水しぶき防止カバーをブラシ側面の外周を覆うように取り付けると共に、該カバーの先端をブラシ先端より少し短くして取り付け、外周側のブラシ根元を締め付けてブラシ根元とブラシ取り付け台のブラシ植設面周縁との間の周辺スペースの下面側に上記カバーを係止させる無端状の弾性係合輪を上記カバーに設けることにより、上記課題を解決したものである。
【発明の効果】
【０００７】
ブラシ側面の外周を覆う水しぶき防止カバーを取り付けているので、ブラッシングする際、水しぶきによって手や足、衣服などが汚れることがないという効果がある。
【０００８】
水しぶき防止カバーの先端は、ブラシ先端より少し短かいので、ブラッシングする際に、カバー先端が、床面に接することがなく、清掃作業の妨げにならない。
【０００９】
水しぶき防止カバーの弾性係合輪を外周側のブラシの根元を締め付けて取り付けた場合は、外周側のブラシ根元とブラシ植設面周縁との間に位置するために、上方への移動はこの周縁下面スペースに当たり上方への移動が阻止される。このため、水しぶき防止カバーはブラシ取り付け台の上方へ外れることはない。
【００１１】
ブラシ本体に着脱できる長さの違う二つの柄を使い分けることにより、大掛かりな清掃作業にもちょっとした手作業による清掃作業にも使用できる効果がある。
【発明を実施するための最良の形態】
【００１２】
本発明の水しぶき防止カバー付きブラシ１は、ブラシ取り付け台２の側面下部の外周に水しぶき防止カバー３が取り付けられている。水しぶき防止カバー３があるため、清掃作業の際、水しぶきによって手や足、衣服などが汚れるという問題を解消することができる。
【００１３】
図１、図３に図示する水しぶき防止カバー３は、外周側のブラシ４の根元を締め付けて、ブラシ４の外周側の根元側に取り付けられる。このため、水しぶき防止カバー３には、このカバー３を係止させる弾性係合輪３ａ設けられている。
【００１４】
水しぶき防止カバー３は、柔軟性のある材質が使用され、また、防水性や非吸水性のある材質が使用されている。
【００１５】
水しぶき防止カバー３は、柔軟性があるため、弾性係合輪３ａの伸縮に追従して外周側のブラシ４の根元の締め付けの妨げになることはない。また、水しぶき防止カバー３の着脱に際しても、柔軟性があるため着脱の妨げにならない。
【００１６】
水しぶき防止カバー３は、防水性があるためカバー表面を水が通過して、周囲に水が飛び散ることがない。また、水しぶき防止カバー３は、非吸水性のため、水を吸って重たくなり、下がってブラシ４から外れることもない。
【００１７】
水しぶき防止カバー３は、帯状のカバーの長手方向の両端を結合された無端状態の形状になっている。
【００１８】
また、水しぶき防止カバー３の幅長さは、ブラシ取り付け台２に取り付けたときにブラシ４先端より少し短くなる長さになっている。
【００１９】
無端状の水しぶき防止カバー３の上端縁側の全周には、伸縮する弾性係合輪３ａが取り付けられている。
【００２０】
弾性係合輪３ａは両端が結合された無端状のものからなり、また、その材質には、例えばゴム等が使用されている。
【００２１】
ブラシ取り付け台２は、上面が水平面になっており、上面の前後側はそれぞれ前方，後方に向けて下向きに傾斜している。前側に比べて後側の傾斜面の長さは長くなっている。傾斜する前側の前端は垂直になっている。傾斜する後側の後端も垂直になっているがわずかである。また、左右両端は垂直になっている。ブラシ取り付け台２の下面にはブラシ４が取り付けられている。
【００２２】
外周側のブラシ４はブラシ取り付け台２の下面側となるブラシ植設面周縁２ｂより少し内側に取り付けられていて、ブラシ取り付け台２の下面のブラシ植設面周縁２ｂと外周側のブラシ４の根元との間には周縁スペース２ａが形成されている。外周側のブラシ４の根元を締め付ける弾性係合輪３ａは取り付けられたときにはその周縁スペース２ａの下面側に位置するために、上方への移動はこの周縁スペース２ａに当たり上方への移動が阻止される。このため、水しぶき防止カバー３はブラシ取り付け台２の上方へ外れることはない。
【００２３】
また、ブラシ取り付け台２には、長い柄６を例えばねじ込む柄取付穴６ａと短い柄５を例えばねじ込む柄取付穴５ａが形成されている。短い柄５をねじ込む柄取付穴５ａはブラシ取り付け台２の上面の左右中央に形成され、長い柄６をねじ込む柄取付穴６ａはブラシ取り付け台２の後側傾斜面の左右中央に形成されている。長い柄６をねじ込んだ場合は、大掛りな清掃作業の際に用い、短い柄５をねじ込んだ場合は、小規模な清掃作業の際に用いる。
【００２５】
図１にはねじ止めで固定する方法を記しているが、ブラシ取り付け台２に、柄５，６が固定できればねじ止めによる方法にこだわらず、着脱できればよい。
【００２６】
また、柄取付穴を２箇所設けているが、ひとつで兼用させることもできる。
【００２７】
次に、上記発明を実施するための最良の形態の構成に基づく動作について以下説明する。
水しぶき防止カバー３の取り付けは、例えばブラシ取り付け台２の上方から水しぶき防止カバー３を被せるようにはめていき、前後側の傾斜面及び左右の垂直な側面に沿って水しぶき防止カバー３を下側に引っ張ると、水しぶき防止カバー３の弾性係合輪３ａが伸びながらの下側に移動する。
【００２８】
図１、図３に図示する水しぶき防止カバー３では、ブラシ取り付け台２下面の周縁からこれより全周の長さが短いブラシ４の根元側にはまり込み、簡単に取り付けることができる。
【００３０】
このように、上側からブラシ取り付け台２に取り付ける場合には水しぶき防止カバー３を下側に引っ張るのみで簡単に取り付けることができる。
【００３１】
図１、図３に図示する水しぶき防止カバー３の弾性係合輪３ａは、ブラシ４の根元を締め付けるため、水しぶき防止カバー３はブラシ４から簡単に外れることはない。しかも使用によって、外周側のブラシ４の先端側は外側に向けて少し反りかえるようになり、ブラシ４は根元に比べて先端側が外側に向かって拡がっているため、更にブラシ４の先端側から外れ難くなる。
【００３２】
水しぶき防止カバー３を取り付けて、水しぶき防止カバー付きブラシ１でブラッシングの清掃作業を行う際は、水が水しぶき防止カバー３に当たり、水しぶきを防ぐことができ、水しぶきによって手や足、衣服などが汚れることはない。
【００３３】
水しぶき防止カバー３の先端は、ブラシ４先端より少し短かいので、ブラッシングする際に、カバー３先端が、床面に接することがなく、清掃作業の妨げにならない。また、ブラシ取り付け台２に着脱できる長さの違う短い柄５と長い柄６の二つの柄を使い分けることにより、大掛かりな清掃作業にもちょっとした手作業による清掃作業にも使用できる。
【図面の簡単な説明】
【００３４】
【図１】水しぶき防止カバー付きブラシの外観斜視図である。
【図２】水しぶき防止カバーの外観斜視図である。
【図３】ブラシ取り付け台の断面図である。
【図４】ブラシ取り付け台下面のスペースを示す部分図である。
【符号の説明】
【００３５】
１、  水しぶき防止カバー付きブラシ
２、  ブラシ取り付け台
２ａ、周縁スペース
２ｂ、ブラシ植設面周縁
３、  水しぶき防止カバー
３ａ、弾性係合輪
４、  ブラシ
５、  長い柄
５ａ、長い柄の柄取付穴
６、  短い柄
６ａ、短い柄の柄取付穴
【要約】
【課題】従来は、床やタイル等にブラシを使用する清掃活動において、ブラシの使用中に水しぶきが生じる事があるが、水しぶきによって手や足、衣服などが汚れるという問題があった。
【解決手段】水しぶき防止カバー３をブラシ４側面の外周を覆うように取り付けると共に、該カバー３の先端をブラシ４先端より少し短くして取り付け、外周側のブラシ４根元を締め付けてブラシ４根元とブラシ取り付け台２のブラシ植設面周縁２ｂとの間に上記カバー３を係止させる無端状の弾性係合輪３ａを上記カバーに設けた。
【選択図】    図１
【図１】
0003683901.tif 000002
【図２】
0003683901.tif 000003
【図３】
0003683901.tif 000004
【図４】
0003683901.tif 000005